(57)【要約】【課題】所望する図柄に形成されたドット状の模様を拡大してなる立体模様を密領域から粗領域に向けて徐々に粗状態となるようなグラデーションのモアレ模様に現出することができる立体模様装飾体を提供する。【解決手段】立体模様装飾体１を構成する装飾体２に付設したドット状の星模様４ａ…を拡大してなる星形立体模様４Ａ…又はハート模様４ｂ…を拡大してなるハート形立体模様４Ｂ…を立体的に浮き上がらせた状態に複数現出する。凸レンズ３…の屈折作用により星形立体模様４Ａ…又はハート形立体模様４Ｂ…が揺らいで見えるだけでなく、見る方向及び角度によって様々な大きさに変形及び変倍、様々な方向に屈折される。星形立体模様４Ａ…又はハート形立体模様４Ｂ…が密領域から粗領域に向けて段階的に粗状態となるようなグラデーションのモアレ模様を現出する。【選択図】  図５
2006021466.tif 000002
【特許請求の範囲】
【請求項１】
透光性を有する透明な装飾体の表面に、略半球形状断面を有する透明なドット状の凸レンズを連続して所定のパターンに付設し、
上記装飾体の裏面に、所望する図柄に形成されたドット状の模様を連続して上記凸レンズと略同一のパターンに付設し、
上記凸レンズ及び模様を、上記装飾体の表面及び裏面に設定した密領域に向けて徐々に密状態となるように配列し、該密領域から遠くなる部分に設定した粗領域に向けて徐々に粗状態となるように配列して、
上記凸レンズにより複数の様模を拡大してなる立体模様を、上記装飾体の表面及び裏面に設定した密領域から粗領域に向けて徐々に粗状態となるようなグラデーションのモアレ模様に現出することを特徴とする
立体模様装飾体。
【請求項２】
透明又は不透明な装飾体の表面に、所望する図柄に形成されたドット状の模様を連続して所定のパターンに付設し、
上記模様のパターン上面に、透光性を有する透明な透過層を形成し、
上記透過層の上面に、略半球形状断面を有する透明なドット状の凸レンズを連続して上記模様と略同一のパターンに付設し、
上記凸レンズ及び模様を、上記装飾体の表面に設定した密領域に向けて徐々に密状態となるように配列し、該密領域から遠くなる部分に設定した粗領域に向けて徐々に粗状態となるように配列して、
上記凸レンズにより複数の様模を拡大してなる立体模様を、上記装飾体の表面に設定した密領域から粗領域に向けて徐々に粗状態となるようなグラデーションのモアレ模様に現出することを特徴とする
立体模様装飾体。
【請求項３】
上記装飾体を、柔軟不可な硬さを有するプレート又は柔軟性を有するシートで構成した
請求項１又は２記載の立体模様装飾体。
【請求項４】
上記凸レンズ及び模様の少なくとも一方を、上記密領域から粗領域に向けて徐々に小さくなるように配列した
請求項１又は２記載の立体模様装飾体。
【請求項５】
上記凸レンズを、上記密領域から粗領域に向けて徐々に低くなるように配列した
請求項１又は２記載の立体模様装飾体。
【請求項６】
上記凸レンズ及び模様の少なくとも一方を、上記密領域から粗領域に向けて徐々に間隔が広くなるように配列した
請求項１又は２記載の立体模様装飾体。
【請求項７】
上記模様を、上記凸レンズと略同一又は該凸レンズよりも小さいサイズに形成した
請求項１又は２記載の立体模様装飾体。
【発明の詳細な説明】
【技術分野】
【０００１】
この発明は、例えば略星形や略ハート形、略花形、略菱形、略雲形、略楕円形、略三角形、略多角形等の所望する図柄に形成された模様を拡大してなる立体模様を、密領域及び粗領域を有するグラデーションのモアレ模様（干渉縞）に現出することができる立体模様装飾体に関する。
【背景技術】
【０００２】
従来、上述の立体模様装飾体としては、例えば透明基板の表面に、透明性を有する多数の独立した凸状集光素が一定の微細なピッチにて規則正しい配列状態に印刷又は形成し、透明基板の裏面に、表面の凸状集光素と同形状で同配列状態又は異形状で同配列状態の多数の着色画素を印刷又は形成し、着色画素の視認サイズが大幅に変化するように表面の凸状集光素に対し交差角をずらせた特許文献１の点描画模様の装飾体と、
透明性媒体の表裏に、所定ピッチで繰り返された基本構成要素を有する少なくとも２つのパターン層を備え、この少なくとも２つのパターン層が重ね合わされる領域において、少なくとも一つのパターン層が基本構成要素の少なくとも一部の大きさを変化させて得られるグラデーションモチーフ（図柄）を有する特許文献２の装飾表示体とがある。
【０００３】
しかし、上述の特許文献１の装飾体は、凸状集光素及び着色画素と、第１及び第２の模様とを所定のピッチで規則正しく配列しているので、何れの方向から見てもモアレ模様が略同一に変化するが、模様密度の変化や色の濃淡が無く、見る方向及び角度によって、模様の密度及び模様の濃度が密状態と粗状態とに変化するようなグラデーションのモアレ模様に現出する効果が得られない。
【０００４】
また、特許文献２の装飾表示体は、グラデーションのモアレ模様を、透明性媒体の表裏両面に形成した２つのパターン層を構成する基本構成要素の大きさを変化させることにより現出するが、２つのパターン層の角度を交差することによるモアレ模様の変化が見られず、凸レンズにより模様を立体的に浮き上がらせるような効果もなく、透明性媒体の屈折率が小さいため、密領域及び粗領域を有するグラデーションのモアレ模様を立体的に現出することができないという問題点を有している。
【特許文献１】特許第３３３８８６０号
【特許文献２】特開２００２−１０３９００号
【発明の開示】
【発明が解決しようとする課題】
【０００５】
この発明は上記問題に鑑み、装飾体に付設されたドット状の模様を拡大してなる立体模様を立体的に浮き上がらせた状態に現出することにより、所望する模様を拡大してなる立体模様を密領域から粗領域に向けて徐々に粗状態となるようなグラデーションのモアレ模様に現出することができる立体模様装飾体の提供を目的とする。
【課題を解決するための手段】
【０００６】
この発明は、透光性を有する透明な装飾体の表面に、略半球形状断面を有する透明なドット状の凸レンズを連続して所定のパターンに付設し、上記装飾体の裏面に、所望する図柄に形成されたドット状の模様を連続して上記凸レンズと略同一のパターンに付設し、上記凸レンズ及び模様を、上記装飾体の表面及び裏面に設定した密領域に向けて徐々に密状態となるように配列し、該密領域から遠くなる部分に設定した粗領域に向けて徐々に粗状態となるように配列して、上記凸レンズにより複数の様模を拡大してなる立体模様を、上記装飾体の表面及び裏面に設定した密領域から粗領域に向けて徐々に粗状態となるようなグラデーションのモアレ模様に現出する立体模様装飾体であることを特徴とする。
【０００７】
或いは、透明又は不透明な装飾体の表面に、所望する図柄に形成されたドット状の模様を連続して所定のパターンに付設し、上記模様のパターン上面に、透光性を有する透明な透過層を形成し、上記透過層の上面に、略半球形状断面を有する透明なドット状の凸レンズを連続して上記模様と略同一のパターンに付設し、上記凸レンズ及び模様を、上記装飾体の表面に設定した密領域に向けて徐々に密状態となるように配列し、該密領域から遠くなる部分に設定した粗領域に向けて徐々に粗状態となるように配列して、上記凸レンズにより複数の様模を拡大してなる立体模様を、上記装飾体の表面に設定した密領域から粗領域に向けて徐々に粗状態となるようなグラデーションのモアレ模様に現出する立体模様装飾体であることを特徴とする。
【０００８】
上述の装飾体は、凸レンズにより拡大された模様が立体的なモアレ模様に現出されるような肉厚に、例えば合成樹脂やガラス等の透光性を有する材質で構成することができるが、模様が認識可能であれば半透明及び着色された材質で構成してもよい。その合成樹脂としては、例えばポリエチレンやポリプロピレン、ポリエステル、アクリル、ナイロン、塩化ビニル等を用いることができる。
【０００９】
且つ、プレート状の装飾体を用いる場合、耐候性及び強度の点において柔軟不可な硬さを有するアクリル製のプレートを用いるのが好ましく、例えば略１ｍｍ〜略２ｍｍの範囲に含まれる肉厚のプレートを用いるが、略１ｍｍ以下及び略２ｍｍ以上の肉厚を有するプレートを用いてもよい。また、シート状の装飾体を用いる場合、例えば略１ｍｍ以下の肉厚で、柔軟性を有する塩化ビニル製のシートを用いるのが好ましい。
【００１０】
また、凸レンズは、密領域に向けて徐々に密集又は近接する密状態に配列し、粗領域に向けて徐々に離間又は分散する粗状態に配列している。且つ、例えば略半球形状断面や略楕円形状断面等の所望する屈折率を有する凸状レンズ形態に、上述の装飾体と略同一又は略同等の透光性を有する透明な合成樹脂やインクで構成することができるが、ドット状の模様が認識可能であれば半透明及び着色された合成樹脂やインクで構成することもできる。
【００１１】
その凸レンズを付設する方法として、例えば透光性を有するインキで微細なドット状に印刷（スクリーン印刷やシルク印刷等）するか、プレス加工で形成する等して一体的に設けることができる。なお、印刷する場合、上述のような凸状レンズ形態に保つのに適した粘度及び表面張力を有する合成樹脂やインキを用いるのが好ましい。予め凸レンズが印刷又は形成されたシートやフィルムを一体的に貼り合わせることもできる。
【００１２】
また、模様は、上述の凸レンズと略同一パターンに配列すると共に、密領域に向けて徐々に密集又は近接する密状態に配列し、粗領域に向けて徐々に離間又は分散する粗状態に配列している。その模様を付設する方法として、例えば黒色や赤色、黄色、緑色、青色等の所望する色に着色されたインキで微細なドット状に印刷（スクリーン印刷やシルク印刷等）するか、転写印刷や蒸着印刷する等して一体的に設けることもできる。
【００１３】
また、模様を平面から見た形状は、例えば略星形や略ハート形、略花形、略菱形、略雲形、略楕円形、略三角形、略多角形等の所望する図柄に形成することができる。また、凸レンズを、上記模様と略同一又は略酷似するような形状に形成してもよい。
【００１４】
つまり、立体模様装飾体を構成する装飾体を表面側から見たとき、所望する図柄に形成されたドット状の模様の一部又は全体を凸レンズで拡大するか、その拡大した部分の像を凸レンズで合成する等して、複数の模様を拡大してなる立体模様を立体的に浮き上がらせた状態に複数現出する。且つ、凸レンズの屈折作用により立体模様が揺らいで見えるだけでなく、見る方向及び角度によって様々な大きさに変形及び変倍され、立体模様が密領域から粗領域に向けて段階的又は徐々に粗状態となるようなグラデーションのモアレ模様を現出する。
【００１５】
実施の形態として、上記装飾体を、柔軟不可な硬さを有するプレート又は柔軟性を有するシートで構成することができる。つまり、立体模様装飾体を使用する目的や用途、場所等の様々な状況に応じて、プレート又はシートの何れか一方を選択することができる。
【００１６】
また、上記凸レンズ及び模様の少なくとも一方を、上記密領域から粗領域に向けて徐々に小さくなるように配列するか、密領域から粗領域に向けて徐々に低くなるように配列することができる。つまり、凸レンズ及び模様のピッチ間隔が一定していても、立体模様が密領域から粗領域に向けて段階的に粗状態となるようなグラデーションのモアレ模様を現出する効果が得られる。
【００１７】
また、上記凸レンズ及び模様の少なくとも一方を、上記密領域から粗領域に向けて徐々に間隔が広くなるように配列することができる。つまり、凸レンズの大きさが略同一であっても、立体模様が密領域から粗領域に向けて段階的に粗状態となるようなグラデーションのモアレ模様を現出する効果が得られる。
【００１８】
また、上記模様を、上記凸レンズと略同一又は該凸レンズよりも小さいサイズに形成することができる。つまり、凸レンズと模様との間にズレが生じるため、凸レンズの屈折作用により模様が拡大され、その拡大した部分の像が凸レンズで合成される等して、ドット状の模様を拡大したような立体模様を立体的に浮き上がらせた状態に複数現出する効果が得られる。
【発明の効果】
【００１９】
この発明によれば、所望する図柄に形成されたドット状の模様を拡大するか、その拡大した部分の像を合成する等して、模様を拡大してなる立体模様を立体的に浮き上がらせた状態に現出するので、凸レンズの屈折作用により立体模様が揺らいで見えるだけでなく、見る方向及び角度によって様々な大きさに変形及び変倍、様々な方向に屈折され、立体模様が密領域から粗領域に向けて段階的又は徐々に粗状態となるようなグラデーションのモアレ模様に現出することができる。また、立体模様のグラデーションを見るだけでも、揺らぎや変化等を視覚的に楽しむこともでき、例えば宣伝や案内、商品の販売等の様々な用途及び目的に利用すれば、人の注目を集めやすく、高い宣伝効果が得られる。
【発明を実施するための最良の形態】
【００２０】
この発明は、所望する図柄の模様を拡大してなる立体模様を密領域から粗領域に向けて徐々に粗状態となるようなグラデーションのモアレ模様に現出することができるという目的を、装飾体に付設されたドット状の模様を凸レンズで拡大して、該模様を拡大してなる立体模様を立体的に浮き上がらせた状態に現出することで実現した。
【実施例】
【００２１】
この発明の一実施例を以下図面に基づいて詳述する。
【００２２】
図面は、所望する図柄に形成されたドット状の模様を拡大してなる立体模様を密領域から粗領域に向けて徐々に粗状態となるようなグラデーションのモアレ模様に現出する第１実施例の立体模様装飾体を示し、図１乃至図４に於いて、この立体模様装飾体１は、柔軟不可な硬さ及び透光性を有する合成樹脂プレートで形成した装飾体２の略表面全体（又は一部）に、略半球形状断面を有する表面側から見て略丸形状（又は略円形状）のドット状の凸レンズ３…を連続して印刷又は形成し、装飾体２表面に設定した密領域（左側）から粗領域（右側）に向けて徐々に粗状態となるような第１パターンＡに配列している。且つ、装飾体２の略裏面全体（又は一部）に、裏面側から見て略星形状に形成されたドット状の星模様４ａ…を連続して印刷又は形成し、装飾体２裏面に設定した密領域（左側）から粗領域（右側）に向けて徐々に粗状態となるような第１パターンＡと略同一の第２パターンＢに配列している。
【００２３】
且つ、星模様４ａ…の一部又は全体を凸レンズ３…により拡大するか、その拡大された部分の像を合成する等して、星模様４ａ…を拡大したような星形立体模様４Ａ…を現出すると共に、星形立体模様４Ａ…の間隔が装飾体２表面に設定した密領域から粗領域に向けて段階的に広くなり、星形立体模様４Ａ…のサイズが密領域から粗領域に向けて段階的に小さくなるようなグラデーションのモアレ模様を図５に示す如く現出させる。
【００２４】
また、凸レンズ３…及び星模様４ａ…の角度を、例えば略１度〜略１０度の範囲に含まれるような角度、或いは、略１度以下及び略１０度以上の角度に変位（又は交差）させて配列してもよい。
【００２５】
上述の凸レンズ３…は、図３にも示すように、透光性を有する透明な合成樹脂のインクを装飾体２の略表面全体にスクリーン印刷して、表面側から見て略丸形状（又は略円形状）の凸レンズ３…を、装飾体２の表面に沿って所定のピッチ間隔Ｐで連続して形成すると共に、所定の屈折率を有する略半球形状断面の凸状レンズ形態に形成している。なお、インキは、凸状レンズ形態に保つのに適した粘度及び表面張力を有している。
【００２６】
且つ、凸レンズ３…を、装飾体２の密領域から粗領域に向けて段階的（徐々又は順次）に外径が小さくなるように配列すると共に、表面から見て密領域に向けて徐々に間隔が狭くなるような密状態（密集又は近接する状態）に配列し、粗領域に向けて徐々に間隔が広くなるような粗状態（離間又は分散する状態）に配列している。且つ、凸レンズ３…の高さＨａ，Ｈｂ，Ｈｃを、密領域から粗領域に向けて段階的又は徐々に低くなるように設定し、凸レンズ３…の間隔Ｗａ，Ｗｂ，Ｗｃを、密領域から粗領域に向けて段階的又は徐々に広くなるように設定している。
【００２７】
且つ、密領域と粗領域とを結ぶ基準線と略平行して、密領域から粗領域に向けて略直線状に配列した１列分の凸レンズ３…を、密領域と粗領域とを結ぶ基準線と略直交する方向(上下方向)に対して所定間隔に隔てて複数条配列している。
【００２８】
前述の星模様４ａ…は、図４にも示すように、例えば黒色や赤色、黄色、緑色、青色等の所望する色に着色されたインクを装飾体２の略裏面全体にスクリーン印刷して、裏面側から見て略星形状の星模様４ａ…を、上述のドット状の凸レンズ３…と略平行して装飾体２の裏面に沿って所定のピッチ間隔Ｐで連続して形成している。
【００２９】
且つ、星模様４ａ…を、装飾体２の密領域から粗領域に向けて段階的（徐々又は順次）に外径が小さくなるように配列すると共に、裏面から見て密領域に向けて徐々に密集又は近接する密状態となるように配列し、粗領域に向けて徐々に離間又は分散する粗状態となるように配列している。且つ、星模様４ａ…の間隔Ｗａ，Ｗｂ，Ｗｃを、密領域から粗領域に向けて段階的又は徐々に広くなるように設定している。なお、星模様４ａ…を平面から見た形状は、例えば略花形や略菱形、略雲形、略楕円形、略三角形、略多角形等の所望する図柄に変更することもできる。
【００３０】
且つ、密領域と粗領域とを結ぶ基準線と略平行して、密領域から粗領域に向けて略直線状に配列した１列分の星模様４ａ…を、密領域と粗領域とを結ぶ基準線と略直交する方向(上下方向)に対して所定間隔に隔てて複数条配列すると共に、上述の凸レンズ３…の配列間隔よりも狭くなるピッチ間隔に隔てて配列している。また、各列の凸レンズ３…と、各列の星模様４ａ…とを略同一又は略同等となる間隔に隔てて配列してもよい。
【００３１】
且つ、密領域から粗領域の全領域に配列した星模様４ａ…を、同全領域に配列した凸レンズ３…よりも小さいサイズに形成している。また、星模様４ａ…を、凸レンズ３…と略同一又は略同等となる大きさに形成してもよい。
【００３２】
図示実施例は上記の如く構成するものにして、以下、立体模様装飾体１によりドット状の星模様４ａ…を拡大したような星形立体模様４Ａをグラデーションに現出する方法を説明する。
【００３３】
上述の立体模様装飾体１を表面側から見たとき、図１、図２にも示すように、凸レンズ３と星模様４ａとが略完全に重なり合った部分では、左右上下の何れの方向から見ても星模様４ａの略全体を認識することができるが、凸レンズ３と星模様４ａとが略半径分変位（略１／２）した状態に重なり合った部分では、右斜め方向から見たとき星模様４ａを認識することができず、左斜め方向から見たとき星模様４ａの略半分を認識することができるので、見る方向によって星模様４ａが視認可能であったり、視認不可能であったりすることがある。
【００３４】
且つ、凸レンズ３と星模様４ａとが略完全に重なり合った部分から遠く離れた部分では、右斜め方向から見たとき星模様４ａを認識することが不可能であり、左斜め方向から見たとき星模様４ａの一部だけしか認識することができず、立体模様装飾体１の表面側を正面から見たとき、凸レンズ３…の屈折作用により星形立体模様４Ａ…が揺らいで見えるだけでなく、星模様４ａ…を凸レンズ３…で拡大するか、その拡大した部分の像を凸レンズ３…で合成する等して、複数の星模様４ａを拡大してなる星形立体模様４Ａを立体的に浮き上がらせた状態に複数現出すると共に、その見る方向及び角度によって凸レンズ３…及び星模様４ａ…が織り成す星形立体模様４Ａ…が様々な大きさに変形及び変倍、様々な方向に屈折される。
【００３５】
且つ、図３、図４にも示すように、凸レンズ３…及び星模様４ａ…を、密領域に向けて徐々に密状態となるように配列し、粗領域に向けて徐々に粗状態となるように配列しているので、密領域と粗領域との間で、凸レンズ３…及び星模様４ａ…が織り成す星形立体模様４Ａ…の密度と、模様の濃度とが変化するだけでなく、密領域から粗領域に向けて段階的又は徐々に粗状態となるように間隔が広くなり、徐々に薄く且つ小さくなるようなグラデーションのモアレ模様を図５に示す如く現出させる。
【００３６】
以上のように、立体模様装飾体１を構成する装飾体２を表面側から見たとき、装飾体２裏面に付設されたドット状の星模様４ａを凸レンズ３で拡大するか、その拡大した部分の像を凸レンズ３で合成する等して、複数の星模様４ａを拡大してなる星形立体模様４Ａを立体的に浮き上がらせた状態に複数現出するので、凸レンズ３…の屈曲作用により星形立体模様４Ａ…が揺らいで見えるだけでなく、見る方向及び角度によって様々な大きさに変形及び変倍、様々な方向に屈折され、星形立体模様４Ａ…の間隔が密領域から粗領域に向けて段階的又は徐々に広くなり、星形立体模様４Ａ…のサイズが密領域から粗領域に向けて段階的又は徐々に小さくなるようなグラデーションのモアレ模様に現出することができる。また、星形立体模様４Ａ…のグラデーションを見るだけでも、揺らぎや変化等を視覚的に楽しむこともでき、例えば宣伝や案内、商品の販売等の様々な用途及び目的に利用すれば、人の注目を集めやすく、高い宣伝効果が得られる。
【００３７】
図６、図７は、略ハート形状に形成されたドット状のハート模様４ｂ…を装飾体２の裏面側に付設した第２実施例の立体模様装飾体１を示し、立体模様装飾体１を表面側から見たとき、ドット状のハート模様４ｂ…を凸レンズ３…で拡大するか、その拡大した部分の像を合成する等して、ハート模様４ｂを拡大したようなハート形立体模様４Ｂを立体的に浮き上がらせた状態に複数現出させ、密領域から粗領域に向けて段階的に広くなり、密領域から粗領域に向けて段階的に小さくなるようなグラデーションのモアレ模様に現出するので、上述の実施例と略同等の作用及び効果を奏することができる。
【００３８】
図８は、凸レンズ３…を略同一の高さ及び大きさに形成した第３実施例の立体模様装飾体１を示し、凸レンズ３…及び星模様４ａ…（又はハート模様４ｂ…）の間隔Ｗａ，Ｗｂ，Ｗｃを、装飾体２の密領域から粗領域に向けて段階的に間隔が広くなるように設定して、星形立体模様４Ａ…（又はハート形立体模様４Ｂ…）が密領域から粗領域に向けて段階的に広くなり、密領域から粗領域に向けて段階的に小さくなるようなグラデーションのモアレ模様に現出するので、上述の実施例と略同等の作用及び効果を奏することができる。
【００３９】
図９は、凸レンズ３…及び星模様４ａ…（又はハート模様４ｂ）の少なくとも一方を異なる大きさに形成した第４実施例の立体模様装飾体１を示し、星形立体模様４Ａ…（又はハート形立体模様４Ｂ…）が密領域から粗領域に向けて段階的に広くなり、密領域から粗領域に向けて段階的に小さくなるようなグラデーションのモアレ模様に現出するので、上述の実施例と略同等の作用及び効果を奏することができる。
【００４０】
図１０は、凸レンズ３と星模様４ａとを装飾体２の表面(片面)に付設した第５実施例の立体模様装飾体１を示し、柔軟不可な硬さ及び透光性を有する合成樹脂プレートと、柔軟性を有する不透明な合成樹脂シートとの何れか一方で構成される装飾体２の表面に、例えばアルミニウムやその他の金属等を略均一にコーティング（又は塗布、蒸着等）して鏡面状の反射層２ａを形成し、その反射層２ａ上面に、星模様４ａを反射層２ａ上面に沿って所定のピッチ間隔Ｐで連続して形成し、装飾体２の密領域から粗領域に向けて徐々に粗状態となるような第２パターンＢに配列している。
【００４１】
且つ、透光性を有する透明な合成樹脂を反射層２ａと、星模様４ａとが略均一に覆われるように塗布又は積層して、モアレ模様を現出するのに適した肉厚を有する透過層２ｂを反射層２ａと、星模様４ａの上面に直接形成する。且つ、透光性を有する透明な合成樹脂のインクを透過層２ｂ上面にスクリーン印刷して、略半球形状断面を有するドット状の凸レンズ３…を、透過層２ｂ上面に沿って所定のピッチ間隔Ｐで連続して直接的に形成し、装飾体２の密領域から粗領域に向けて徐々に粗状態となるような第１パターンＡに配列している。
【００４２】
且つ、星模様４ａを拡大したような星形立体模様４Ａ…の間隔が密領域から粗領域に向けて段階的に広くなり、その星形立体模様４Ａ…のサイズが密領域から粗領域に向けて段階的に小さくなるようなグラデーションのモアレ模様を図５に示す如く現出させる。且つ、粘着剤２ｃが略均一に塗布された装飾体２の略裏面全体に、柔軟性を有するシート状の台紙２ｄ（剥離紙）を貼付している。
【００４３】
つまり、凸レンズ３…及び星模様４ａ…を装飾体２の表面側（片面側）に形成しているが、星形立体模様４Ａ…が密領域から粗領域に向けて段階的に広くなり、密領域から粗領域に向けて段階的に小さくなるようなグラデーションのモアレ模様に現出するので、前述の実施例と略同等の作用及び効果を奏することができる。また、柔軟性を有する不透明な合成樹脂シートの立体模様装飾体１は、台紙２ｄを剥離して、粘着剤２ｃの粘着力を利用して、平面状や曲面状の表示部（例えば略球形状や略円筒形状等の立体形状を有する部分）に貼着することもできる。
【００４４】
なお、上述の星模様４ａを拡大したような星形立体模様４Ａの代わりに、例えばハート模様４ｂを拡大したようなハート形立体模様４Ｂをグラデーションのモアレ模様に現出することもできる。また、粘着剤２ｃの代わりに、例えばマグネットや面ファスナー等の固定手段で固定することもできる。また、透過層２ｂの代わりに、例えばガスや空気等の気体、水や溶液、薬液等の液体を介在することもできる。
【００４５】
図１１は、凸レンズ３…を略同一の高さ及び大きさに形成した第６実施例の立体模様装飾体１を示し、凸レンズ３…及び星模様４ａ…（又はハート模様４ｂ）の少なくとも一方の間隔Ｗａ，Ｗｂ，Ｗｃを、装飾体２の密領域から粗領域に向けて段階的に間隔が広くなるように設定して、星形立体模様４Ａ…（又はハート形立体模様４Ｂ…）が密領域から粗領域に向けて段階的に広くなり、密領域から粗領域に向けて段階的に小さくなるようなグラデーションのモアレ模様に現出するので、前述の実施例と略同等の作用及び効果を奏することができる。
【００４６】
なお、本発明は、上述の実施例の構成のみに限定されるものではなく、例えば凸レンズ３及び星模様４ａ、ハート模様４ｂを、装飾体２の中心部密領域から外周部に向けて段階的に粗状態となるようなグラデーションに配列することもできる。且つ、例えば略球形状や略円筒形状等の立体形状を有する立体模様装飾体の内外周面にも形成することも可能である。
【００４７】
この発明の構成と、上述の実施例との対応において、  
この発明の模様は、実施例の星模様４ａと、ハート模様４ｂとに対応し、  
以下同様に、  
立体模様は、星形立体模様４Ａと、ハート形立体模様４Ｂとに対応するも、
上述の星模様４ａ及びハート模様４ｂと、星形立体模様４Ａ及びハート形立体模様４Ｂとの図柄は、上述の実施例の図柄のみに限定されるものではない。
【図面の簡単な説明】
【００４８】
【図１】第１実施例の立体模様装飾体を示す拡大平面図。
【図２】凸レンズ及び星模様の付設状態を示す断面図。
【図３】凸レンズを配列した第１パターンを示す平面図。
【図４】星模様を配列した第２パターンを示す平面図。
【図５】星形立体模様を現出する状態を示す平面図。
【図６】第２実施例の立体模様装飾体を示す拡大平面図。
【図７】ハート形立体模様を現出する状態を示す平面図。
【図８】第３実施例の立体模様装飾体を示す縦断面図。
【図９】第４実施例の立体模様装飾体を示す縦断面図。
【図１０】第５実施例の立体模様装飾体を示す縦断面図。
【図１１】第６実施例の立体模様装飾体を示す縦断面図。
【符号の説明】
【００４９】
１…立体模様装飾体
２…装飾体
３…凸レンズ
４ａ…星模様
４ｂ…ハート模様
４Ａ…星形立体模様
４Ｂ…ハート形立体模様
Ａ…第１パターン
Ｂ…第２パターン
【図１】
2006021466.tif 000003
【図２】
2006021466.tif 000004
【図３】
2006021466.tif 000005
【図４】
2006021466.tif 000006
【図５】
2006021466.tif 000007
【図６】
2006021466.tif 000008
【図７】
2006021466.tif 000009
【図８】
2006021466.tif 000010
【図９】
2006021466.tif 000011
【図１０】
2006021466.tif 000012
【図１１】
2006021466.tif 000013